(57)【要約】【課題】  本発明は、回転ブラシの付いた掃除機でも取れなかった、絨毯の絡み込んだ髪の毛、ゴミを引っ張りだし、団子状に丸め吸い取るため、絡み取った髪の毛の処理を容易にし、磁石に付着させ、金属を分別して吸い込まないようする電気掃除機に付ける掃除器具を提供する。【解決手段】  筒状の柄の先を斜めにカットし、周りに凹凸の滑り止めを付け、棒状タワシの両端の輪をひっかける、ピンが付いた台を柄に設け、半球に磁石の付いた球を、カットした柄の上下に二個付けタワシを回し易くし、タワシをくの字に曲げて両端をピンに装着し、球を利用して器具を傾け、タワシを絨毯に接し連続して回し、ゴミを絡ませ団子にし、掃除機で吸い取り、紛れこんだ金属は、球の磁石に付着し吸い込まれず、掃除機のホースの入り口で他のゴミと分別される。ゴミを団子状にし、金属と非金属を分別可能とすることが特長の電気掃除機に付ける掃除器具。【選択図】図１
2017035431.tif 000002
【特許請求の範囲】
【請求項１】
筒状の柄（５）を斜めにカットし、その切り口の周りにタワシ（１）の毛を固定する凹凸の枠（４）の滑り止めを付け、棒状タワシ（１）の両端にある輪（１２）をひっかけるためのピン（６）が付いた台（７）を柄（５）に設け、球の半分に強力磁石（３）の付いた球（２）を、カットした柄（５）の切り口の上下に二個付け、棒状のタワシ（１）を凹凸の枠（４）の滑り止めに添い、くの字に曲げて両端の輪（１２）をピン（６）に装着しタワシ（１）を固定する、以上の構成よりなる金属と非金属を分別することが可能となることを特長とする電気掃除機に付ける掃除器具。
【発明の詳細な説明】
【技術分野】
【０００１】  本発明は、電気掃除機のホースの先に付け、絨毯に踏み込まれて取り除け無かった髪の毛を団子状にして取り、同時に金属の破片も磁石で拾い取り、吸い込む前にゴミを分別して、掃除機本体を傷めないもので、床や幅木、サッシのさん、網戸に湿気を含みこびり付いたゴミもタワシでこすり取る電気掃除に付ける掃除器具である。
【背景技術】
【０００２】  従来、絨毯に絡みついた髪の毛を取るためには、回転ブラシの付いた掃除機で取るか、粘着のりが付いたコロコロを転がして取るのが知られている。
タワシを曲げて汚れをとる器具（特許文献１参照）、磁石に金属を付着させて掃除をする器具（特許文献２参照）、先端を屈折しゴミを引っ掛けてとる絨毯の掃除器具（特許文献３参照）が知られている。
【先行技術文献】
【特許文献】
【０００３】
【特許文献１】  実願平４−７４４３０号公報
【特許文献２】  実願平７−１３６９号公報
【特許文献３】  実開昭６２−０７６９５８号公報
【発明の概要】
【発明が解決しようとする課題】
【０００４】  毛足の短い絨毯に踏み込んでしまった髪の毛は、回転ブラシの付いた掃除機で吸い込んでも、奥に入り込んだ髪の毛は取りずらく、（特許文献３）で示した器具を用いて髪の毛を器具にからみとる場合、器具の先が直線になっているため、毛足に接しても毛並みをなでるようになり、取り残しがでてしまう。また絡み取れた髪の毛が器具にに絡まり、器具のの掃除に手間がかかった。【０００５】  金属のゴミは吸い込むと掃除機を傷める。（特許文献２）で示した器具を用いても、床などに落ちている金属は付着する事が出来ても絨毯毛足の奥に絡み付いたの金属を付着させることは困難である。【０００６】  絨毯の髪の毛、糸くず、ほこりを取るには（特許文献１）のタワシを用いても床、はばき、サッシのさん、網戸に湿気を含みこびり付いたゴミは従来の掃除機では吸い込めない。
本発明は、以上の問題点を解決するためになされたものである。
【課題を解決するための手段】
【０００７】  筒状の柄（５）の先を斜めにカットし、その切り口の周りにタワシ（１）の毛を固定する凹凸の枠（４）の滑り止めを付け、棒状のタワシ（１）の両端にある輪（１２）をひっかけるためのピン（６）が付いた台（７）を柄（５）に設ける。【０００８】  球の半分に強力磁石（３）の付いた球（２）を、カットした柄（５）の切り口の上下に２個付け、棒状のタワシ（１）を凹凸の枠（４）の滑り止めに添い、くの字に曲げて両端の輪（１２）をピン（６）に装着しタワシ（１）を固定し、以上の構成よりなる金属と非金属を分別することが可能となることを特長とする電気掃除機に付ける掃除器具。
【発明の効果】
【０００９】  吸引力の弱い掃除機でも、絨毯に踏み込まれた髪の毛やゴミが、タワシの１ヶ所に絡まりあい、丸く団子状になるため、簡単に吸い込め、従来のようにブラシに絡み取った髪の毛を、もう一度付属の器具で剥がし取る処理が必要でなくなる。湿気を含んだ粘土のようなこびり付いた汚れは、従来の強力な吸引力のある掃除機でも取れなかったが、タワシで擦り剥がし吸い取ることができる。
ゴミをホースの入り口で分別するので、金属の破片を吸い込むこともなく掃除機を傷めない。
球がとび出ていて滑りやすく、ピッタリくっつかないため、毛足の長い絨毯、毛皮の奥に絡みついて取れなかったゴミも根こそぎ取れ、ペットに直接当てても吸い付かず、生え替わりの抜け毛の処理が簡単になり、部屋を汚さない。
掃除機のホースの先から取り外して、器具単体でも使用可能である。
【図面の簡単な説明】
【００１０】
【図１】  本発明の斜視図
【図２】  本発明の図３に装着する棒タワシの平面図である。
【図３】  本発明の平面図
【図４】  本発明の図３に図２を装着した時の斜視図
【図５】  本発明のタワシの左側を使用した実施例の斜視図
【図６】  本発明のタワシの右側を使用した実施例の斜視図
【図７】  本発明の球の磁石に金属が付着した時の実施例を示した斜視図
【図８】  本発明の背面の球の磁石に金属が付着しタワシに団子状のゴミが付いた斜視図
【図９】  本発明を掃除機のホースの先に装着した時の実施例を示した斜視図
【発明を実施するための形態】
【００１１】  以下、本発明の実施の形態について説明する。
（イ）掃除機の吸い込み口先端の、筒状の柄（５）の先を斜めにカットし、その切り口の周りに滑り止めの凹凸の枠（４）を設け、凹凸の枠（４）に棒状のタワシ（１）を装着し、ずれないようにする。
（ロ）  強力磁石（３）が付いた球（２）を、斜めにカットした柄（５）の切り口の上下に二個付ける。
（ハ）  柄（５）にはタワシ（１）を止めるピン（６）が台（７）に取り付けられている。タワシ（１）はピン（６）で取り外しが出来るので交換が可能である。
（ニ）  タワシ（１）の中央をくの字に折り曲げ滑り止め凹凸（４）に添わせ、ピン（６）にタワシ（１）の輪（１２）をひっかける。
以下実施例により本発明をさらに詳細に説明するが、本発明はこれら実施例に限定され  るものではない。
【実施例】
【００１２】  本発明を使用するときは、右面（９）か左面（１０）のどちらか一方を使用し、飛び出ている球（２）を利用して器具を傾け、タワシ（１）を絨毯に接し、円を描くように連続して回しながらゴミを吸いこむ。
タワシ（１）は、絨毯の毛の上で円を描くように回すのは困難であるが、球（２）を上下に付ける事で滑りを良くし、タワシ（１）を回す作業をスムーズにする。
タワシ（１）を連続して円を描くように回すと、絨毯に付いている髪の毛どうしが絡まりあい、髪の毛が団子（８）になる。
また、図１で示すように、金属（１１）を吸い込まない様に、球の外側に強力磁石（３）を付け、掃除器具の吸い込み口に接する球（２）の内側に金属が付着しないようにし、電気掃除機のホースの先に装着し、掃除器具の入り口で金属のホース内部への進入を阻止し、他のゴミと分別する。
【符号の説明】
【００１３】      １・・タワシ
２・・球
３・・強力磁石
４・・凹凸の枠
５・・柄
６・・ピン
７・・台
８・・髪の毛の団子
９・・右面
１０・・左面
１１・・金属
１２・・輪
【図１】
2017035431.tif 000003
【図２】
2017035431.tif 000004
【図３】
2017035431.tif 000005
【図４】
2017035431.tif 000006
【図５】
2017035431.tif 000007
【図６】
2017035431.tif 000008
【図７】
2017035431.tif 000009
【図８】
2017035431.tif 000010
【図９】
2017035431.tif 000011